(57)【特許請求の範囲】
【請求項１】
透液性のトップシートと、不透液性のバックシートと、前記トップシートと前記バックシートとの間に配置された吸収体とを有し、前記バックシートの裏面側に、着衣の内面に着脱可能に止着する止着部材が設けられた使い捨て補助パッドであって、
前記使い捨て補助パッドは、長さ方向に、前側部と後側部と前側部と後側部の間に位置する股部とを有し、前記止着部材は、前側部と後側部に取り付けられ、前記使い捨て補助パッドの長さ方向股部には、止着部材が存在しない領域が設けられている使い捨て補助パッドであり、
前記止着部材は、基材シートと基材シート上に起立する複数のフック部材を有し、
前記フック部材は、ステムと、前記ステムの先端に設けられたヘッドとを有し、
前記ヘッドは、平面視で、短径と前記ステムの径よりも大きい長径とを有する形状であり、前記止着部材が、前記ヘッドの長径方向が使い捨て補助パッドの幅方向に一致するように取り付けられていることを特徴とする使い捨て補助パッド。
【請求項２】
前記ヘッドの短径が、前記ステムの径と等しい、または、前記ステムの径より短い請求項１に記載の使い捨て補助パッド。
【請求項３】
前記ヘッドの短径が、前記ステムの径よりも大きい請求項１に記載の使い捨て補助パッド。
【請求項４】
前記ヘッドの形状は、平面視で略矩形状または略楕円形状である請求項１〜３のいずれか一項に記載の使い捨て補助パッド。
【請求項５】
前記使い捨て補助パッドは、幅方向に、中央部と中央部の両側に位置する両側縁部とを有し、前記止着部材を、幅方向の両側縁部に設けることにより、前記使い捨て補助パッドの幅方向中央部には、止着部材が存在しない領域が設けられている請求項１〜４のいずれか一項に記載の使い捨て補助パッド。
【発明の詳細な説明】
【技術分野】
【０００１】
本発明は、使い捨ておむつ本体や生理用ナプキンに取り付けて使用する使い捨て補助パッドに関するものである。
【背景技術】
【０００２】
近年、固定部材としてフック部材を用いた使い捨て補助パッドに関する技術が開発されている。例えば、特許文献１には、透液性のトップシート、吸収体および非透液性のバックシートが積層されている使い捨て補助パッドであって、前記バックシートの外表面には、繊維群に着脱自在に接合することのできる略矩形状の面ファスナが、補助パッドの中心部から補助パッドの長さ方向一端縁側に偏って設けられていることを特徴とする補助パッドが開示されている。
【０００３】
特許文献２には、互いに対向して縦方向へ延びる両側縁部と、互いに対向して横方向へ延びる両端縁部とを有し、透液性表面シートと、不透液性裏面シートと、それらシートの間に介在する吸液性コアと、前記表面シートの外面に位置して前記縦方向へ延びる一対の液抵抗性防漏シートとから構成され、前記防漏シートそれぞれが、前記両側縁部に位置して前記表面シートに固着された固定側部と、前記縦方向へ延びる弾性伸縮性部材を伸長状態で取り付けて前記表面シートの外面から上方へ起立性向を有する自由側部と、前記両端縁部に位置して前記表面シートに固着された固定端部とを備えた体液吸収性インナーパネルにおいて、前記インナーパネルを保持するアウター部材の内面に掛着可能であって前記横方向へ連続して延びる少なくとも１つの略矩形状の雄型面ファスナが、前記裏面シートの所要の部位に位置して前記裏面シートの外面に固着され、前記防漏シートの固定側部と固定端部との少なくとも一方が、前記インナーパネルの両側縁部から前記裏面シートの外面の側へ延び、かつ、前記インナーパネルの両側縁部に位置する前記面ファスナの横方向両端部を被覆した状態で前記裏面シートと前記面ファスナとに固着されていることを特徴とする前記インナーパネルが開示されている。
【０００４】
特許文献３には、透水性表面シートと、不透水性裏面シートと、これら両シート間に介在する吸収性コアと、を有し、前記裏面シートに着衣の内面に取り外し可能に装着できる取付け部材を備えた吸収性物品において、前記取付け部材が基板にほぼ垂直に立設した軸と、該軸の先端において少なくとも一方向に伸延した突出部によって形成されたキャップと、から構成されるフック素子を複数個有するファスナーのフック部材であって、前記キャップの長手方向あるいは直角方向の少なくともいずれか一方において、前記フック素子のキャップ径が２７５μｍから３７５μｍであることを特徴とする吸収性物品が開示されている。
【０００５】
特許文献４には、透液性表面シート、不透液性裏面シート、および、これら透液性表面シートと不透液性裏面シートとの間に配設された吸収体を備えた長手方向両端部および幅方向両側部を有する形状の吸収性物品体を具備し、この吸収性物品体は、前記透液性表面シートおよび不透液性裏面シートの少なくともいずれか一方により前記吸収体の外方に第１のフラップ部が形成され、前記透液性表面シートの表面側に、前記吸収性物品体の長手方向に沿ってこの吸収性物品体の幅方向の両側部に自由端状の第２のフラップ部が前記不透液性表面シートにて形成され、前記不透液性裏面シートの前記吸収体と反対側に、前記吸収性物品体の長手方向に沿って自由端状の第３のフラップ部が形成され、前記第２のフラップ部は、基端側が前記透液性表面シートおよび不透液性裏面シートのいずれか一方に固定され、先端側に前記吸収性物品体の長手方向に沿って第２フラップ用弾性体が配設され、前記第３のフラップ部は、基端側が前記不透液性裏面シートに固定され、先端側に前記吸収性物品体の長手方向に沿って第３フラップ用弾性体が配設されていることを特徴とした使い捨て吸収性物品が開示されている。
【０００６】
特許文献５には、透液性のトップシートと、不透液性のバックシートと、前記トップシートと前記バックシートの間に配設された吸収体とを備え、おむつ本体に取り付けられて使用されるインナー吸収性物品であって、前記おむつ本体は、外装体と、前記外装体の幅方向両側縁部の各々に沿って形成され、着用者の脚周りに接触する一対の脚周りギャザーとを備え、前記バックシートの裏面の幅方向両側縁部の各々に沿って、前記おむつ本体に着脱自在に止着される第１の止着部材が設けられていることを特徴とするインナー吸収性物品が開示されている。
【先行技術文献】
【特許文献】
【０００７】
【特許文献１】特開平９−２７６３１２号公報
【特許文献２】特開２００１−１２９０１１号公報
【特許文献３】特開２００３−２１０５２４号公報
【特許文献４】特開２００４−３０５４６５号公報
【特許文献５】特開２００９−２４０５６１号公報
【発明の概要】
【発明が解決しようとする課題】
【０００８】
上述したように、使い捨て補助パッドには、おむつ本体や生理用ナプキンなどの着衣に取り付けるための固定部材が設けられている。使い捨て補助パッドの着用時には、使い捨て補助パッドが着衣からずれないように、しっかりと固定されていることが求められているが、使用後には使い捨て補助パッドを容易に取り外せることが求められている。しかしながら、着衣に弱く固定されていると、着用時に使い捨て補助パッドがずれて、フィット性が損なわれるという問題があった。一方、着衣に強固に固定されていると、取り外しが困難になり、取り外し時に着衣の内面を損傷するという問題があった。
【０００９】
本発明は、上記事情に鑑みてなされたものであり、着用時には使い捨て補助パッドが着衣にしっかりと固定されてずれにくく、使用後には着衣から容易に取り外せる使い捨て補助パッドを提供することを目的とする。
【課題を解決するための手段】
【００１０】
本発明の使い捨て補助パッドは、透液性のトップシートと、不透液性のバックシートと、前記トップシートと前記バックシートとの間に配置された吸収体とを有し、前記バックシートの裏面側に、着衣の内面に着脱可能に止着する止着部材が設けられた使い捨て補助パッドであって、前記止着部材は、基材シートと基材シート上に起立する複数のフック部材を有し、前記フック部材は、ステムと、前記ステムの先端に設けられたヘッドとを有し、前記ヘッドは、平面視で、短径と前記ステムの径よりも大きい長径とを有する形状であり、前記止着部材が、前記ヘッドの長径方向が使い捨て補助パッドの幅方向に一致するように取り付けられていることを特徴とする。
【００１１】
本発明で使用する止着部材のフック部材は、平面視で、ヘッドが、ステムから少なくとも長径方向に張り出す形状を有している。前記ヘッド形状を有するフック部材は、長径方向には係合力が強く、短径方向には係合力が弱くなる。従って、止着部材を、ヘッドの長径方向が、使い捨て補助パッドの幅方向に一致するように取り付ければ、使い捨て補助パッドの係合力が、使い捨て補助パッドの幅方向には強く、長さ方向には弱くなる。その結果、本発明の使い捨て補助パッドは、幅方向にはずれにくく、長さ方向には容易に取り外すことができる。
【００１２】
前記ヘッドが、前記ステムの径と等しい、または、前記ステムの径より短い短径を有する、あるいは、前記ステムの径よりも大きい短径を有することも好ましい。ヘッドの短径とステム径との関係を制御することにより、短径方向の係合力を調整することができる。前記ヘッドの形状としては、例えば、平面視で略矩形状または略楕円形状を挙げることができる。
【００１３】
前記使い捨て補助パッドは、長さ方向に、前側部と後側部と前側部と後側部の間に位置する股部とを有し、前記止着部材は、前側部と後側部に取り付けられ、前記使い捨て補助パッドの長さ方向股部には、止着部材が存在しない領域が設けられていることが好ましい。また、前記使い捨て補助パッドは、幅方向に、中央部と中央部の両側に位置する両側縁部とを有し、前記止着部材を、幅方向の両側縁部に設けることにより、前記使い捨て補助パッドの幅方向中央部には、止着部材が存在しない領域が設けられていることが好ましい。
【発明の効果】
【００１４】
本発明の使い捨て補助パッドは、着用時には着衣にしっかりと固定されているので、幅方向にずれにくい。使用後や位置調整時には、長さ方向に着衣から容易に取り外せる。
【図面の簡単な説明】
【００１５】
【図１】本発明で使用する止着部材の拡大平面図。
【図２】フック部材の拡大図。
【図３】フック部材の拡大図。
【図４】フック部材の拡大図。
【図５】本発明の好ましい実施形態の使い捨て補助パッドの平面図（トップシート側から見た平面図。一部切り欠きあり）。
【図６】本発明の好ましい実施形態の使い捨て補助パッドの裏面図（バックシート側から見た展開図）。
【図７】図５の使い捨て補助パッドのＩ−Ｉ線の断面模式図。
【図８】本発明の好ましい実施形態に係る使い捨て補助パッドの平面図（トップシート側から見た平面図。一部切り欠きあり）。
【図９】本発明の好ましい実施形態の使い捨て補助パッドの裏面図（バックシート側から見た展開図）。
【図１０】図８の使い捨て補助パッドのＩＩ−ＩＩ線の断面模式図。
【図１１】本発明の好ましい実施形態の補助パッドの裏面図（バックシート側から見た展開図）。
【図１２】使い捨て補助パッドの使用例を説明する説明図。
【図１３】使い捨て補助パッドの使用例を説明する説明図。
【図１４】使い捨て補助パッドのおむつ本体への取り付け方を説明する説明図。
【図１５】係合力試験用フックテープ基材の作製方法を説明する説明図。
【図１６】係合力試験用トップシート基材の作製方法を説明する説明図。
【図１７】Ｔ型剥離試験用試験片の積層方法を説明する説明図。
【図１８】Ｔ型剥離試験方法を説明する説明図。
【発明を実施するための形態】
【００１６】
本発明の使い捨て補助パッドは、透液性のトップシートと、不透液性のバックシートと、前記トップシートと前記バックシートとの間に配置された吸収体とを有し、前記バックシートの裏面側に、着衣の内面に着脱可能に止着する止着部材が設けられた使い捨て補助パッドであって、前記止着部材は、基材シートと基材シート上に起立する複数のフック部材を有し、前記フック部材は、ステムと、前記ステムの先端に設けられたヘッドとを有し、前記ヘッドは、平面視で、短径と前記ステムの径よりも大きい長径とを有する形状であり、前記止着部材が、前記ヘッドの長径方向が使い捨て補助パッドの幅方向に一致するように取り付けられていることを特徴とする。
【００１７】
以下、本発明を詳細に説明する。本発明の使い捨て補助パッドは、透液性のトップシートと、不透液性のバックシートと、前記トップシートと前記バックシートとの間に配置された吸収体とを有する。
【００１８】
前記透液性のトップシートは、透液性のシート材料、例えば、親水性繊維により形成された不織布であり、着用者からの排泄物の水分を速やかに捕捉して吸収体へと移動させる。トップシートとして利用される不織布は、例えば、ポイントボンド不織布やエアスルー不織布、スパンレース不織布、スパンボンド不織布であり、これらの不織布を形成する親水性繊維としては通常、セルロースやレーヨン、コットン等が用いられる。なお、トップシートとして、表面を界面活性剤により親水処理した疎水性繊維（例えば、ポリプロピレン、ポリエチレン、ポリエステル、ポリアミド、ナイロン）にて形成された透液性の不織布が用いられてもよい。
【００１９】
吸収体は、透液性のトップシートと、不透液性のバックシートとの間に配置され、トップシートを透過した水分を吸収して迅速に固定する。吸収体は、例えば、粉砕したパルプ繊維やセルロース繊維等の親水性繊維に粒状の吸水性ポリマー（例えば、ＳＡＰ（Super Absorbent Polymer））を混合したものをティッシュペーパーや透液性不織布等により包み込んで形成される。親水性繊維を包むティッシュペーパーや透液性不織布等は、親水性繊維および吸水性ポリマーとホットメルト接着剤により接合されることが好ましい。親水性繊維の型崩れ、および、吸水性ポリマーの脱落（特に、吸水後における脱落）を防止することができる。
【００２０】
バックシートとしては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルムが利用され、バックシートに到達した排泄物の水分等が、使い捨て補助パッドの外側にしみ出すのを防止する。バックシートにプラスチックフィルムが利用される場合、ムレを防止して着用者の快適性を向上するという観点からは、透湿性（通気性）を有するプラスチックフィルムが利用されることが好ましい。
【００２１】
本発明の使い捨て補助パッドのバックシートの裏面側には、着衣の内面に着脱可能に止着する止着部材が設けられている。前記止着部材は、基材シートと基材シート上に起立する複数のフック部材を有し、前記フック部材は、ステムと、前記ステムの先端に設けられたヘッドとを有し、前記ヘッドは、平面視で、短径と前記ステムの径よりも大きい長径とを有する形状であり、前記止着部材が、前記ヘッドの長径方向が使い捨て補助パッドの幅方向に一致するように取り付けられている。
【００２２】
本発明で使用するフック部材は、平面視で、ヘッドが、ステムから少なくとも長径方向に張り出す形状を有している。前記ヘッド形状を有するフック部材は、長径方向には係合力が強く、短径方向には係合力が弱くなる。従って、止着部材を、ヘッドの長径方向が、使い捨て補助パッドの幅方向に一致するように取り付ければ、使い捨て補助パッドの係合力が、使い捨て補助パッドの幅方向には強く、長さ方向には弱くなる。その結果、本発明の使い捨て補助パッドは、幅方向にはずれにくく、長さ方向には容易に取り外すことができる。
【００２３】
前記フック部材のヘッドの短径は、特に限定されないが、ステム径よりも短い、あるいは、ステム径に等しいことが好ましい。ヘッドの短径が、ステム径よりも短い、あるいは、ステム径に等しければ、短径方向の係合力が小さくなる。一方、短径方向の係合力を高める場合には、フック部材のヘッドの短径を、ステム径よりも大きくしてもよい。ヘッドが短径方向にもステムから張り出せば、短径方向の係合力が向上する。
【００２４】
フック部材のヘッド形状は、特に限定されないが、平面視で、略矩形状または略楕円形状であることが好ましい。ヘッドは、長径方向の一方向のみにステムから張り出していてもよいが、長径方向の二方向にステムから張り出していることが好ましい。ステムの断面形状（平面視）は、円形、多角形、あるいは、十字形状やＸ型の異形断面形状を有してもよい。また、ステムは、円柱状、角柱状、円錐状、角錐状などのいずれであってもよいが、円柱状または円錐が好ましい。ステムは、平面視でヘッド形状のほぼ中央に結合していることが好ましい。フック部材のヘッド形状は、例えば、電子顕微鏡で観察することができる。
【００２５】
前記ヘッドの長径は、特に限定されないが、２５０μｍ以上が好ましく、３５０μｍ以上がより好ましく、５００μｍ以下が好ましく、４５０μｍ以下がより好ましい。前記ヘッドの短径は、特に限定されないが、１７０μｍ以上が好ましく、１８０μｍ以上がより好ましく、２５０μｍ未満が好ましく、２００μｍ以下がより好ましい。
【００２６】
フック部材のステムの高さは、特に限定されないが、２００μｍ以上が好ましく、２５０μｍ以上がより好ましく、７００μｍ以下が好ましく、３５０μｍ以下がより好ましい。また、フック部材のステムの径は、特に限定されないが、１２０μｍ以上が好ましく、１５０μｍ以上がより好ましく、２５０μｍ未満が好ましく、２００μｍ以下がより好ましい。なお、円錐状や角錐状のステムの場合には、ステム径が高さによって変化するが、ステム径としては、ヘッドと結合している部分のステム径を採用する。また、ステムの断面形状が、十字型やＸ型の異形断面形状の場合には、異形断面形状に外接する外接円の中で、最小径を有する外接円の径をステム径とする。
【００２７】
基材シート上のフック部材の密度は、特に限定されないが、１ｃｍ２当たり２２５個以上が好ましく、２４０個以上がより好ましく、２５６個以下が好ましく、２５０個以下がより好ましい。１ｃｍ２当たり２２５個以上にすることにより、係合力が高くなり、使い捨て補助パッドを着衣にしっかりと固定することができる。
【００２８】
フック部材は、基材シート上に整列していることが好ましく、ヘッドの長径方向を一致させて整列していることがより好ましい。ヘッドの長径方向を一致させて整列することにより、フック部材の係合力の異方性が高くなる。
【００２９】
基材シートの形状は、特に限定されないが、円形状、楕円形状、または、矩形状などが挙げられ、矩形状がより好ましい。この場合、基材シートの長さは、３００ｍｍ以上が好ましく、５００ｍｍ以下が好ましい。基材シートの幅は、１０ｍｍ以上が好ましく、３０ｍｍ以下が好ましい。基材シートの厚みは、５０μｍ以上が好ましく、１５０μｍ以下が好ましい。
【００３０】
基材シートおよびフック部材を構成する材料としては、ポリエチレン、ポリプロピレン、ポリアミド、ポリエステルなどの熱可塑性樹脂が好ましく、ポリエチレンまたはポリプロピレンが好ましい。
【００３１】
基材シートと基材シート上に起立する複数のフック部材を有する止着部材を成形する方法としては、例えば、多数の微孔を持つローラー上に溶融樹脂を圧入し、基材シート上にフック部材を一体成形する方法、あるいは、基材シートとその表面に複数の列状の隆起を成形するように付形されたダイを通して溶融樹脂を押し出し、前記列状の隆起に小間隔で横に切れ目を入れ、次いで、基材シートを延伸して、連続した列状の隆起から多数のフック部材を形成する方法などを挙げることができる。
【００３２】
本発明の使い捨て補助パッドは、長さ方向に、前側部と後側部と前側部と後側部の間に位置する股部とを有し、幅方向に、中央部と中央部の両側に位置する両側縁部とを有する。使用に際して、使い捨て補助パッドの前側部が、着用者の腹側に当接し、後側部が着用者の臀部側に当接する。
【００３３】
本発明では、止着部材が、使い捨て補助パッドの前側部と後側部に取り付けられ、前記使い捨て補助パッドの長さ方向股部には、止着部材が存在しない領域が設けられていること、および／または、止着部材が、幅方向の両側縁部に取り付けられ、前記使い捨て補助パッドの幅方向中央部には、止着部材が存在しない領域が設けられていることが好ましい。
【００３４】
使い捨て補助パッドの長さ方向股部および／または幅方向中央部に、止着部材が存在しない領域を設けることにより、使い捨て補助パッドを取り付ける際に、使い捨て補助パッドと着衣の間に指を挿入することができる。その結果、取り付け作業や位置調整が容易になる。また、長さ方向股部および／または幅方向中央部において、使い捨て補助パッドと着衣が固定されていない。その結果、使い捨て補助パッドが、着衣の動きに追従しすぎることが抑制され、使い捨て補助パッドの着用者へのフィット性が低下せず、尿漏れが低減する。
【００３５】
本発明の使い捨て補助パッドの形状は、長辺両側縁と短辺両端縁とを有する略矩形状であることが好ましい。また、長辺両側縁に、着用者の股間部分に沿いやすいように脚用切り欠き部が設けられた砂時計形状であってもよい。
【００３６】
使い捨て補助パッドには、長辺両側縁に沿って、長さ方向に延びる一対の起立部が設けられていてもよい。起立部は、尿などの横漏れを防止して、排泄物の水分を速やかに吸収体へと移動させる。起立部は、不透液性のサイドシートで構成されていることが好ましい。起立部に用いられるサイドシートとしては、不透液性バックシートの材料として用いるものを挙げることができる。前記起立部は、例えば、吸収体の上面の幅方向両側に設けられてもよく、吸収体の側縁より外側に設けられてもよい。起立部は、トップシートの幅方向両側に設けられたサイドシートの内方端が立ち上げられて、形成されてもよい。起立部の自由端（内方端）には弾性部材が設けられることが好ましく、当該弾性部材の収縮力により起立部が着用者の肌に向かって立ち上がる。弾性部材については、ポリウレタン糸や天然ゴムシートなどの伸縮性材料が用いられる。
【００３７】
本発明の使い捨て補助パッドは、使い捨ておむつ本体、生理用ナプキン、綿生地のパンツなどの着衣に好適に使用することができ、使い捨ておむつ本体、生理用ナプキンなどに使用することが好ましい。
【００３８】
前記使い捨ておむつ本体としては、例えば、透液性のトップシートと、不透液性のバックシートと、前記透液性トップシートと不透液性のバックシートとの間に吸収体を有し、吸収体の両側縁に沿って一対の立ち上がりフラップが形成されたもの；内側シートと外側シートからなる積層体と、前記積層体の肌面側に、透液性トップシートと不透液性バックシートとの間に吸収体が挟み込まれた吸収性本体とを有し、吸収性本体の両側縁に沿って一対の立ち上がりフラップが形成されたものなどを挙げることができる。なお、上記では、おむつ本体に吸収性本体や吸収体が備えられている場合を例示したが、おむつ本体に吸収性本体や吸収体は必ずしも必要ではない。
【００３９】
以下、図面を参照しながら、本発明を詳細に説明するが、本発明は、図面に示された態様に限定されるものではない。
【００４０】
図１には、本発明で使用する止着部材の一例を示した。図１は、本発明で使用する止着部材の一例の拡大平面図であり、止着部材１０は、基材シート４４上に起立する複数のフック部材４５を有する。複数のフック部材４５が、ヘッドの短径方向１８および長径方向１９に並列して設けられている。図２（ａ）は、フック部材の平面図である。図２（ｂ）は、フック部材４５をヘッド４７の短径方向１８から見た正面図であり、図２（ｃ）は、フック部材４５をヘッドの長径方向１９から見た側面図である。フック部材４５は、ステム（茎）４６と、前記ステム４６の先端に設けられたヘッド４７とを有する。ヘッド４７は、短径５０と前記ステムの径５３よりも大きい長径４９とを有する略楕円形状を有し、ステムから長径方向１９に張り出す張り出し部４８を有する。図２（ｃ）に示した例では、ヘッド４７の短径５０とステムの径５３がほぼ等しく、ヘッドの短径方向１８には、ヘッドは張り出していない。上述したような構成を有する止着部材１０は、長径方向１９にはフック部材のヘッドが張り出しているため、しっかりと係合するが、短径方向１８には、ヘッドが張り出していないので、ゆるく係合する。
【００４１】
図３には、本発明に使用するフック部材の変形例を示した。図３（ａ）は、フック部材の平面図、図３（ｂ）は、短径方向１８から見た正面図、図３（ｃ）は、長径方向１９から見た側面図である。ヘッドの短径５０がステムの径５３より大きく、ヘッドが短径方向１８にも張り出している。また、長径方向１９に張り出す長さ５１は、短径方向に張り出す長さ５２よりも大きい。長径方向および短径方向に張り出す長さを調整することにより、長径方向および短径方向の係合力をそれぞれ調整することができる。前記構成を有する止着部材１０は、長径方向１９にはヘッドの張り出し長さが大きく、しっかりと係合するが、短径方向１８には、ヘッドの張り出し長さが小さく、ゆるく係合する。
【００４２】
図４には、本発明に使用するフック部材の別の変形例を示した。図４（ａ）は、フック部材の平面図、図４（ｂ）は、短径方向１８から見た正面図、図４（ｃ）は、長径方向１９から見た側面図である。ヘッドの短径５０がステムの径５３より大きく、ヘッドが、短径方向１８にも張り出している。また、長径方向１９に張り出す長さ５１は、短径方向に張り出す長さ５２よりも大きい。図４に示した態様では、ステム４６が円錐状であり、ステムの径５３が、ヘッドから基材シートに向かって大きくなる。ステムのボトム径５４は、ステムが基材シートと接合している部分のステム径であり、ヘッドの短径５０より大きくなっている。このような構成とすることにより、ステム４６が安定して起立し、倒れにくくなる。その結果、係合力が安定する。
【００４３】
本発明で使用する止着部材のフック部材の長径方向の張り出し長さ５１は、３０μｍ以上が好ましく、５０μｍ以上がより好ましく、１９０μｍ以下が好ましく、１７５μｍ以下がより好ましい。また、フック部材の短径方向の張り出し長さ５２は、２５μｍ以下が好ましく、１５μｍ以下がより好ましく、フック部材が短径方向に張り出していないことが最も好ましい。
【００４４】
上述した構成を有する止着部材は、長径方向１９にはしっかりと係合するが、短径方向１８には、ゆるく係合する。本発明では、斯かる止着部材を、ヘッドの長径方向１９が使い捨て補助パッドの幅方向に一致するようにバックシートの裏面に取り付ける。そうすると、使い捨て補助パッドを着衣の内面に取り付けて使用したときに、ヘッドの長径方向１９と使い捨て補助パッドの幅方向が一致しているので、幅方向へのずれを抑制することができる。使い捨て補助パッドの長さ方向には、ヘッドが張り出していないので、使い捨て補助パッドを長さ方向に抵抗なく容易に取り外すことができる。
【００４５】
本発明で使用する止着部材の長径方向の係合力は、０．２５Ｎ／１５ｍｍ以上が好ましく、０．３０Ｎ／１５ｍｍ以上がより好ましく、３．５０Ｎ／１５ｍｍ以下が好ましく、１．５０Ｎ／１５ｍｍ以下がより好ましい。止着部材の長径方向の係合力が上記範囲であれば、使い捨て補助パッドの幅方向のずれが抑制される。また、本発明で使用する止着部材の短径方向の係合力は、０Ｎ／１５ｍｍ以上が好ましく、０．０１０Ｎ／１５ｍｍ以上がより好ましく、０．１００Ｎ／１５ｍｍ以下が好ましく、０．００５０Ｎ／１５ｍｍ以下がより好ましい。止着部材の短径方向の係合力が上記範囲であれば、使い捨て補助パッドを長さ方向に抵抗なく容易に取り外すことができる。止着部材の係合力は、後述する方法により測定することができる。
【００４６】
図５〜図７には、本発明の使い捨て補助パッドの好ましい実施態様（第１実施形態１）を示した。図５は、肌面側から見た平面図であり、図６は、裏面側から見た裏面図である。図７は、図５のＩ−Ｉ線における断面図である。以下、本発明では、着用者の左側に当たる側を左側と称し、着用者の右側に当たる側を右側と称す。従って、図６に向かって右側は左側であり、向かって左側は右側である。（図５では向かって右側が右側であり、向かって左側は左側である。）
【００４７】
使い捨て補助パッド１は、透液性のトップシート２と、不透液性のバックシート３と、両シートの間に挟まれて配置された吸収体４とで主に構成されている。吸収体４は、ホットメルト接着剤などでトップシート２およびバックシート３と接合されており、さらに吸収体４から外方へ延出するトップシート２およびバックシート３のフラップ部分は接着剤などで互いに接合されて、吸収体４や吸収体４が吸収した尿等の排泄物が外方へ漏れ出さないように保持されている。なお、図５から図７の例では、バックシート３は吸収体４の上方へ巻き上げられ、吸収体４の幅方向側縁２４はバックシート３で覆われている。これは、吸収体４や吸収体４が吸収した尿等の排泄物が外方へ漏れ出さないようにより強固に保持するための措置である。
【００４８】
使い捨て補助パッド１は、長さ方向１１８、幅方向１１９、厚さ方向２０を有しており、長さ方向１１８に沿って前側部１２、後側部１４、及び、前側部１２と後側部１４との間に位置する股部１３を有している。また、幅方向１１９に沿って、側縁部１５，１７と中央部１６を有している。なお、前記股部１３のフラップ部分は、着用者の股間部分に沿いやすいように脚用切り欠き部８を設け括れている。さらに吸収体４の股部縁２５も同様に括れている。図６では、使い捨て補助パッド１をほぼ３等分する２点鎖線を２本引いて示しており、２点鎖線間を中央部１６とし、２点鎖線の外方の部分を側縁部１５，１７としている。
【００４９】
使い捨て補助パッド１には、止着部材１０，１１がバックシート３の裏面側に設けられている。ここで、裏面側とは図７に向かって下側のことであり、着用者の着衣の内面に面する側である。図７に向かって上側は、着用者の肌に面する側である。前側止着部材１０は、前側部１２における側縁部１５，１７にそれぞれ配置されている。後側止着部材１１は、後側部１４における側縁部１５，１７中にそれぞれ配置されている。前後止着部材１０および１１は、それぞれ長さ方向の端縁２９と幅方向側縁３０を有する長方形状のものとして描かれている。しかしながら、形状はこの形に限定されない。
【００５０】
フック部材を有する止着部材１０，１１は、該フック部材を着衣の内面に向くように、バックシート３の裏面に取り付けられる。該フック部材が着衣の内面に係合することで、使い捨て補助パッド１が着衣に接合できる。フック部材を有する止着部材であれば、繰り返し取り付けができて、位置調整が容易な上、着衣の内面を損傷することも少なくなる。
【００５１】
各止着部材の幅方向側縁３０は、使い捨て補助パッド１の側縁２２に沿うように配置することが好ましい。また、側縁３０の長さ２６の方が、端縁２９の長さ３１よりも長いことが好ましい。そのような止着部材の配置関係と寸法関係により、使い捨て補助パッド１を着衣に固定した際に、長さ方向に対するずれを起こしにくくすることができる。ずれが起こりにくいことで、使い捨て補助パッドが着用者の股間の適切な位置にフィットし続けるため、尿等の排泄物の漏れを防ぐことができる。
【００５２】
止着部材１０、１１は、使い捨て補助パッドの幅方向側縁２２から、離間して設けられていることが好ましく、止着部材の外方の側縁３０が、使い捨て補助パッドの側縁２２から１０ｍｍ以上内方に位置することが好ましい。止着部材を、使い捨て補助パッドの幅方向側縁２２から離間して設けることにより、使い捨て補助パッド１の幅方向側縁２２から止着部材１０、１１までの間隔２７において、使い捨て補助パッド１が、着衣に接合されず自由な状態になる。この間隔２７の部分についても、作業者が指でつまむことができ、位置調整のために使うことができる。また、この間隔２７の部分は、着衣の動きに追従しないため、着衣との関連によって曲がったり、折れたりすることがなく、それら曲がり・折れに起因する排泄物の漏れを防ぐことができる。
【００５３】
前記間隔２７の幅方向１９における寸法は、１０ｍｍ以上であることが好ましく、１５ｍｍ以上がより好ましく、３０ｍｍ以下が好ましく、２５ｍｍ以下がより好ましい。３０ｍｍを越える寸法であると、自由度があり過ぎて、補助パッド単独で折れ曲がりやすくなる。また、１０ｍｍ未満の寸法であると作業者がつまみにくく作業しづらくなる。
【００５４】
前側止着部材１０および後側止着部材１１は、それぞれ左右の止着部材間に間隔２８が設けられている。この間隔があるために左右の止着部材の間に手を入れて作業することができ、着衣に取り付ける際に位置を調整し易くなる。着用者の体型や姿勢に合わせて適切な位置に使い捨て補助パッドを取り付けることで確実にフィットさせることができ、結果として漏れを軽減することができる。
【００５５】
前記左右の止着部材間の間隔は、５０ｍｍ〜９０ｍｍとすることが好ましい。５０ｍｍより小さい間隔では装着作業者の手や指が入りづらくなる。また、９０ｍｍよりも大きい間隔では使い捨て補助パッドの止着が不安定になる。
【００５６】
図５および図７を参照すると、トップシート２の幅は使い捨て補助パッド１の幅よりも狭く設定されており、トップシート２の両側縁部の下面は、バックシート３の折り返し端９のやや外方上面と第１の接合部３２において接合されている。トップシート２の幅方向外方にはサイドシート５が接合されて配置されている。サイドシート５の第１の折り返し縁３６よりやや外方の部分の下面は、トップシート２の上面と第２の接合部３３により接合されている。なお、その他のサイドシート５の下面もトップシート２の上面や折り返されたバックシート３の上面と接合されている（図示せず）。第２の接合部３３よりも内方のサイドシート５の部分は、延伸した状態で貼り付けられた弾性部材７の収縮力により着用者の肌に向かって起立する起立部６となっている。
【００５７】
図５および図７の例では、起立部６は、第１の折り返し縁３６で外方に向かって折り返され、次いで第２の折り返し縁３４で内方に向かって折り返され、次いで第３の折り返し縁３５で弾性部材７を覆うように内方に向かって折り返される。弾性部材７は、第３の折り返し縁３５の内部に伸張状態で取り付けられている。折り畳まれた起立部６は、使い捨て補助パッド１の長さ方向１１８の端縁付近においては折り畳まれた状態で固定されている。その固定された部分の間の起立部６は固定されていないので、弾性部材７の収縮力により着用者の肌に向かって起立する。起立部６は、主に着用者の股間部において起立するため、股間部における尿等の排泄物の横漏れを防ぐことができる。
【００５８】
弾性部材７については、ポリウレタン糸や天然ゴムシートなどの伸縮性材料が用いられる。材料の接合には、ホットメルト接着剤による接合や、熱溶融接合が用いられる。
【００５９】
図８から図１０には、本発明の別の好ましい実施態様（第２実施形態１０１）を示している。使い捨て補助パッド１０１では、バックシート３が吸収体４の幅方向側縁２４に沿って巻き上げられてはおらず、側縁２４から外方へ延出している。また、サイドシート５も側縁２４から外方へ延出しており、延出したサイドシート５とバックシート３を互いに接合してフラップ部分を形成している。上記の点以外は、基本的に第１実施形態と同じである。
【００６０】
止着部材の外方の側縁３０は、吸収体の幅方向側縁２４から１０ｍｍ以上内方に位置することが好ましい。図５から図７の補助パッド１では、吸収体４の側縁２４と補助パッド１の側縁２２がほぼ一致しているが、図８から図１０の補助パッド１０１では、吸収体４の側縁２４は使い捨て補助パッド１０１の側縁２２よりも内方にある。止着部材の側縁３０と吸収体４の側縁２４との間隔４３については、１０ｍｍ以上であることが好ましく、１５ｍｍ以上がより好ましく、３０ｍｍ以下が好ましい。３０ｍｍを越える寸法であると、自由度があり過ぎて、補助パッド単独で折れ曲がりが発生しやすくなる。また、１０ｍｍ未満の寸法であると作業者がつまみにくく作業しづらくなる。
【００６１】
第１実施形態、第２実形態ともにサイドシート５を用い、横漏れ防止用の起立部６を設けている。変形例としてサイドシート５を用いず、トップシート２のみで表面全体を覆ってもよい。その他、本発明の主旨が許す範囲で変形しても差し支えない。
【００６２】
図１１には、本発明の使い捨て補助パッドの別の好ましい実施態様（第３実施形態２０１）を示した。図１１は、使い捨て補助パッドを裏側から見た裏面図である。使い捨て補助パッド２０１では、止着部材の取り付け位置を変更している。前記変更点以外は、基本的に第１実施形態と同じである。止着部材は、幅方向中央部１６の前側部１２と後側部１４に取り付けられ、前記使い捨て補助パッドの長さ方向股部には、止着部材が存在しない領域が設けられている。使い捨て補助パッド２０１のような態様においても、本発明の効果を奏することができ、さらに止着部材の数が少ないので製造コストを低減できる。
【００６３】
以下、本発明の使い捨て補助パッドをおむつ本体に取り付けて使用する態様について、図１２〜１４を参照しながらさらに詳細に説明する。図１２に示すように使い捨て補助パッド１は２つ折り部３７により２つに折られている。２つに折られた状態で、図１３に示すようにおむつ本体の内面４１、４２に重ねて接合する。
【００６４】
図１４では、おむつ本体３８の前側の内面４１（斜線で示す部分）に使い捨て補助パッド１を重ねた状態で、内面４１に前側止着部材１０を接合している。左右の前側止着部材１０間は固定されていないので、図１４のように作業者の手３９の指４０が、補助パッドの裏面とおむつ本体の内面との間に入る。このことにより、一旦接合した状態でも使い捨て補助パッドをしっかりと持って接合状態を調整することができる。また、股部１３には止着部材は配置されない。よって、股部１３は、おむつ本体３８の動きに関連せず、おむつ本体３８の動きに起因する捩れ、しわなどが発生しない。特に股部１３の吸収体４が捩れたり、しわになったりすると吸収力の低下を招きやすいので、その部分に影響が無いことが望ましい。
【００６５】
図１４に示すように、止着部材は、使い捨て補助パッドの幅方向側縁２２から、離間して設けられている。使い捨て補助パッド１の幅方向側縁２２から止着部材１０までの間隔２７において、使い捨て補助パッド１が、おむつ本体に接合されず自由な状態になる。この間隔２７の部分についても、作業者が指でつまむことができ、位置調整のために使うことができる。また、この間隔２７の部分は、おむつ本体３８の動きに追従しないため、おむつ本体との関連によって曲がったり、折れたりすることがなく、それら曲がり・折れに起因する排泄物の漏れを防ぐことができる。
【実施例】
【００６６】
以下、本発明を実施例によって詳細に説明するが、本発明は、下記実施例によって限定されるものではなく、本発明の趣旨を逸脱しない範囲の変更、実施の態様は、いずれも本発明の範囲内に含まれる。
【００６７】
［止着部材の係合力の評価］
（１）図１５（ａ）および（ｂ）に示すように、使い捨て補助パッド１のバックシートの裏面側に、止着部材１０として幅１５ｍｍのフックテープを取り付けた。取り付けたフックテープの部分を含むように幅５０ｍｍ×長さ１２０ｍｍの長方形Ａ、Ｂの形状にバックシートを切り取り、フックテープ基材Ａ，Ｂを作製した。図１５中、使い捨て補助パッド１の長さ方向１１８は、ＭＤ方向（製造工程の不織布の流れ方向）に一致し、ＭＤ方向と直交する方向が、使い捨て補助パッド１の幅方向１１９に相当する。
【００６８】
（２）図１６（ａ）および（ｂ）に示すように、おむつ本体の吸収性本体５７から長方形ａ，ｂの形状に，エアスルー不織布製のトップシート５８を切り取り、トップシート基材ａ，ｂを作製した。このトップシート基材ａ，ｂを幅５３ｍｍ×長さ１００ｍｍのステンレス板に貼り付けた。図１６中、おむつ本体の吸収性本体５７の長さ方向１１８が、ＭＤ方向（製造工程の不織布の流れ方向）に一致し、ＭＤ方向と直交する方向が、吸収性本体５７の幅方向１１９に相当する。
【００６９】
（３）このトップシート基材ａ，ｂとフックテープ基材Ａ，Ｂとを、フックテープがトップシート基材に係合するように重ねて、上から２ｋｇのローラーを往復させて、トップシート基材とフックテープ基材とを係合させて、剥離試験用の試験片１〜８を作製した。剥離試験用の試験片は、トップシート基材ａ，ｂとフックテープ基材Ａ，Ｂとを、図１７（ａ）〜（ｄ）に示すように４通りの組合せで積層して作製した。図１７において、Ｘ方向がＴ型剥離試験の剥離方向である。また、各基材に付された矢印方向は、各基材のＭＤ方向を示す。
【００７０】
（４）図１８に示すように、得られた剥離試験用の試験片２０２に５００ｇの荷重２０４をかけて、１３５°の方向に剥離するように治具で固定してＴ型剥離試験を行った。
剥離試験は、エー・アンド・デイ製テンシロン万能試験機を用いて、チャック間距離１００ｍｍ、チャックスピード３００ｍｍ／ｍｉｎの条件で行った。
【００７１】
（５）得られた試験結果を、「汎用試験機用データ処理システム  ＭＳＡＴ０００３ＲＴＦ／ＲＴＧ−１２１０」を用いて処理し、ＪＩＳ  Ｋ６８５４に定める面積法により、係合力（Ｎ／１５ｍｍ）を算出した。すなわち、係合力（Ｎ／１５ｍｍ）は、測定によって得られたチャート紙上の剥離荷重曲線と剥離長さとで囲まれた面積を剥離長さ（ｍｍ）で除することにより算出される。なお、フックテープ基材Ｂを用いた試験片については、Ｎ／５０ｍｍの係合力が測定されるが、これをＮ／１５ｍｍに換算して、係合力を算出した。得られた結果を表１に示した。フックテープ基材Ａを用いた試験片の剥離試験結果が、使い捨て補助パッドの幅方向に使い捨て補助パッドを取り外す係合力を指標し、フックテープ基材Ｂを用いた試験片の剥離試験結果が、使い捨て補助パッドの長さ方向に使い捨て補助パッドを取り外す係合力を指標する。
【００７２】
（６）止着部材としては、表１に示したフックテープ１（実施例）と、フックテープ２（比較例）を用いた。フックテープ１のフック部材は、ステムと、前記ステムの先端に設けられたヘッドとを有し、ヘッド形状が、平面視で、短径と前記ステムの径よりも大きい長径とを有する形状であり、ヘッドの長径方向が、フックテープの長さ方向と一致している。フックテープ２のフック部材は、ステムと、前記ステムの先端に設けられたヘッドとを有し、ヘッド形状は、長径方向および短径方向にほぼ均等にステムから張り出している。
【００７３】
【表１】
0005827825.tif 000002
【００７４】
フック部材のヘッドの長径方向がフックテープの長さ方向と一致するフックテープ１を、使い捨て補助パッド１のバックシートに取り付けたフックテープ基材Ａ、Ｂは、いずれも止着部材が、フック部材のヘッドの長径方向と使い捨て補助パッドの幅方向が一致するように取り付けられている場合である。そして、試験片１，２の剥離試験結果は、使い捨て補助パッドを幅方向に取り外すときの係合力を指標し、試験片３，４の剥離試験結果が、使い捨て補助パッドの長さ方向に取り外すときの係合力を指標する。試験片１〜４の試験結果から、フックテープ１を取り付けた使い捨て補助パッドは、幅方向に係合力が大きく、長さ方向に係合力が弱いことが分かる。また、試験片１と２の結果、及び、試験片３と４の結果をそれぞれ比較すると、使い捨てパンツ本体のトップシートの方向性によらず、この傾向が、認められることが分かる。以上の結果より、フックテープ１を取り付けた使い捨て補助パッドは、幅方向にはずれにくく、長さ方向に容易に取り外すことができる。
【００７５】
また、試験片４〜７の結果から、フック部材のヘッドのステムからの張り出し長さが短いフックテープ２をバックシートに取り付けた使い捨て補助パッドの場合、幅方向の係合力と、長さ方向の係合力とに大きな差は認められなかった。
【産業上の利用可能性】
【００７６】
本発明の使い捨て補助パッドは、使い捨ておむつ、生理用ナプキン、綿生地のパンツなどの着衣に好適に使用することができる。
【符号の説明】
【００７７】
１：使い捨て補助パッド、２：トップシート、３：バックシート、４：吸収体、５：サイドシート、６：起立部、７：弾性部材、８：脚用切り欠き部、９：バックシート折り返し端部、１０：前側止着部材、１１：後側止着部材、１２：前側部、１３：股部、１４：後側部、１５：側縁部、１６：中央部、１７：側縁部、１８：ヘッドの短径方向、１９：ヘッドの長径方向、２０：厚さ方向、２１：長さ方向端縁、２２：幅方向側縁、２３：吸収体の長さ方向端縁、２４：吸収体の幅方向側縁、２５：吸収体の股部縁、２６：止着部材の長さ、２７：止着部材の側縁と使い捨て補助パッドの側縁との間隔、２８：左右の止着部材間の間隔、２９：止着部材の長さ方向端縁、３０：止着部材の幅方向側縁、３１：止着部材の幅、３２：第１の接合部、３３：第２の接合部、３４：第２の折返し縁、３５：第３の折返し縁、３６：第１の折返し縁、３７：２つ折り部、３８：おむつ本体、３９：作業者の手、４０：作業者の指、４１：外側おむつ本体の前側の内面、４２：外側おむつ本体の後側の内面、４３：止着部材の側縁と吸収体の側縁との間隔、４４：基材シート、４５：フック部材、４６：ステム（茎）、４７：ヘッド、４８：張り出し部、４９：ヘッドの長径、５０：ヘッドの短径、５１：ヘッドの長径方向張り出し長さ、５２：ヘッドの短径方向張り出し長さ、５３：ステム径、５４：ステムのボトム径、５７：吸収性本体、５８：不織布製トップシート、５９：不織布製サイドシート、１１８：長さ方向、１１９：幅方向、２０２：Ｔ型剥離試験片、２０４：荷重
【図１】
0005827825.tif 000003
【図２】
0005827825.tif 000004
【図３】
0005827825.tif 000005
【図４】
0005827825.tif 000006
【図５】
0005827825.tif 000007
【図６】
0005827825.tif 000008
【図７】
0005827825.tif 000009
【図８】
0005827825.tif 000010
【図９】
0005827825.tif 000011
【図１０】
0005827825.tif 000012
【図１１】
0005827825.tif 000013
【図１２】
0005827825.tif 000014
【図１３】
0005827825.tif 000015
【図１４】
0005827825.tif 000016
【図１５】
0005827825.tif 000017
【図１６】
0005827825.tif 000018
【図１７】
0005827825.tif 000019
【図１８】
0005827825.tif 000020